(57)【要約】【課題】波長可変プラガブル光モジュールが外部から波長切替を要求された場合に、波長の切替処理が完了する前に光伝送路上に光信号が送出されることを防止すること。【解決手段】プラガブル電気コネクタ１１は、外部の光通信装置９２に挿抜可能である。プラガブル光レセプタ１５は、光ファイバ９１が挿抜可能である。光源は、第１の波長の光を出力可能である。光変調器は、光通信装置９２からの電気信号に応じて第１の波長の光を変調し、光信号ＬＳを出力する。光減衰器は、ファイバ９１への光信号ＬＳの出力を調整可能である。波長切替動作は、光通信装置９２からの波長切替指示に応じて光減衰器が光信号ＬＳを遮断し、光信号ＬＳが遮断された後に光源が第１の波長の光を第２の波長の光に切り替え、その後、外部の光通信装置９２からの出力指示に応じて光減衰器が第２の波長の光が変調された第２の光信号を出力するように波長切替動作を実行する。【選択図】図１
2019106730.tif 000002
【特許請求の範囲】
【請求項１】
外部光伝送装置に挿抜可能な電気コネクタと、
コネクタ付光ファイバが挿抜可能な光コネクタと、
第１の波長を有する光を出力可能な光源と、
前記外部光伝送装置からの電気信号に応じて前記第１の波長を有する光を変調し、第１の光信号を出力する光変調器と、
前記コネクタ付光ファイバへの前記第１の光信号の出力を調整可能な光減衰器と、
波長切替動作を実行する制御部と、を備え、
前記波長切替動作は、
前記外部光伝送装置からの波長切替指示に応じて前記光減衰器が前記第１の光信号を遮断し、
前記第１の光信号が遮断された後に前記光源が前記第１の波長を有する光を第２の波長を有する光に切り替え、
前記第１の波長を有する光を前記第２の波長を有する光に切り替えた後に、前記外部光伝送装置からの出力指示に応じて前記光減衰器が前記第２の波長を有する光が変調された第２の光信号を出力する
ように制御されることを特徴とする、
プラガブル光モジュール。
【請求項２】
前記波長切替動作は、さらに、
前記第１の光信号が減衰された後に、前記光源が前記第１の波長を有する光の出力を停止する
ように制御されることを特徴とする、
請求項１に記載のプラガブル光モジュール。
【請求項３】
前記波長切替動作は、さらに、
前記第１の波長を有する光を前記第２の波長を有する光に切り替えた後に、前記光源が前記第２の波長を有する光を出力する
ように制御されることを特徴とする、
請求項２に記載のプラガブル光モジュール。
【請求項４】
前記制御部は、前記外部光伝送装置からの要求に応じて当該外部光伝送装置に対して状態を通知する
ことを特徴とする、
請求項１乃至３のいずれかに記載のプラガブル光モジュール。
【請求項５】
前記制御部は、前記第１の波長を有する光を前記第２の波長を有する光に切り替えた後に、前記第２の波長を有する光への切り替え完了を前記外部光伝送装置に対して通知する
ことを特徴とする、
請求項１乃至４のいずれかに記載のプラガブル光モジュール。
【請求項６】
前記光源からの光を分岐する光分岐部と、
前記分岐された光と干渉させることで入力光信号を受信するコヒーレント光受信器と、
をさらに備える、
請求項１乃至５のいずれかに記載のプラガブル光モジュール。
【請求項７】
前記制御部は、前記光源が前記第１の波長を有する光を前記第２の波長を有する光に切り替えた後に、前記コヒーレント光受信器のパラメータを設定する
ことを特徴とする、
請求項６に記載のプラガブル光モジュール。
【請求項８】
コネクタ付光ファイバと、
プラガブル光モジュールと、
前記プラガブル光モジュールを制御可能な外部光伝送装置と、を備え、
前記プラガブル光モジュールは、
前記外部光伝送装置に挿抜可能な電気コネクタと、
コネクタ付光ファイバが挿抜可能な光コネクタと、
第１の波長を有する光を出力可能な光源と、
前記外部光伝送装置からの電気信号に応じて前記第１の波長を有する光を変調し、第１の光信号を出力する光変調器と、
前記コネクタ付光ファイバへの前記第１の光信号の出力を調整可能な光減衰器と、
波長切替動作を実行する制御部と、を備え、
前記波長切替動作は、
前記外部光伝送装置からの波長切替指示に応じて前記光減衰器が前記第１の光信号を遮断し、
前記第１の光信号が遮断された後に前記光源が前記第１の波長を有する光を第２の波長を有する光に切り替え、
前記第１の波長を有する光を前記第２の波長を有する光に切り替えた後に、前記外部光伝送装置からの出力指示に応じて前記光減衰器が前記第２の波長を有する光が変調された第２の光信号を出力する
ように制御されることを特徴とする、
光通信システム。
【請求項９】
前記波長切替動作は、さらに、
前記第１の光信号が減衰された後に、前記光源が前記第１の波長を有する光の出力を停止する
ように制御されることを特徴とする、
請求項８に記載の光通信システム。
【請求項１０】
前記波長切替動作は、さらに、
前記第１の波長を有する光を前記第２の波長を有する光に切り替えた後に、前記光源が前記第２の波長を有する光を出力する
ように制御されることを特徴とする、
請求項９に記載の光通信システム。
【請求項１１】
前記制御部は、前記外部光伝送装置からの要求に応じて当該外部光伝送装置に対して状態を通知する
ことを特徴とする、
請求項８乃至１０のいずれかに記載の光通信システム。
【請求項１２】
前記制御部は、前記第１の波長を有する光を前記第２の波長を有する光に切り替えた後に、前記第２の波長を有する光への切り替え完了を前記外部光伝送装置に対して通知する
ことを特徴とする、
請求項８乃至１１のいずれかに記載の光通信システム。
【請求項１３】
前記光源からの光を分岐する光分岐部と、
前記分岐された光と干渉させることで入力光信号を受信するコヒーレント光受信器と、
をさらに備える、
請求項８乃至１２のいずれかに記載の光通信システム。
【請求項１４】
前記制御部は、前記光源が前記第１の波長を有する光を前記第２の波長を有する光に切り替えた後に、前記コヒーレント光受信器のパラメータを設定する
ことを特徴とする、
請求項１３に記載の光通信システム。
【請求項１５】
プラガブル光モジュールにおいて、
第１の波長を有する光を出力し、
外部光伝送装置からの電気信号に応じて前記第１の波長を有する光を変調して第１の光信号を出力し、
波長切替動作を実行し、
前記波長切替動作は、
前記外部光伝送装置からの波長切替指示に応じて前記第１の光信号を遮断し、
前記第１の光信号が遮断された後に前記第１の波長を有する光を第２の波長を有する光に切り替え、
前記第１の波長を有する光を前記第２の波長を有する光に切り替えた後に、前記外部光伝送装置からの出力指示に応じて前記第２の波長を有する光が変調された第２の光信号を出力する
ように制御されることを特徴とする、
光通信方法。
【請求項１６】
前記波長切替動作は、さらに、
前記第１の光信号が減衰された後に、前記第１の波長を有する光の出力を停止する
ように制御されることを特徴とする、
請求項１５に記載の光通信方法。
【請求項１７】
前記波長切替動作は、さらに、
前記第１の波長を有する光を前記第２の波長を有する光に切り替えた後に、前記第２の波長を有する光を出力する
ように制御されることを特徴とする、
請求項１６に記載の光通信方法。
【請求項１８】
前記外部光伝送装置からの要求に応じて、当該外部光伝送装置に対して状態を通知する
ことを特徴とする、
請求項１５乃至１７のいずれかに記載の光通信方法。
【請求項１９】
前記第１の波長を有する光を前記第２の波長を有する光に切り替えた後に、前記第２の波長を有する光への切り替え完了を前記外部光伝送装置に対して通知する
ことを特徴とする、
請求項１５乃至１８のいずれかに記載の光通信方法。
【請求項２０】
前記光を分岐し、
前記分岐された光と干渉させることで入力光信号をコヒーレント受信する、
請求項１５乃至１９のいずれかに記載の光通信方法。
【請求項２１】
前記第１の波長を有する光を前記第２の波長を有する光に切り替えた後に、前記コヒーレント受信におけるパラメータを設定する
ことを特徴とする、
請求項２０に記載の光通信方法。
【発明の詳細な説明】
【技術分野】
【０００１】
本発明はプラガブル光モジュール、光通信システム及び光通信方法に関する。
【背景技術】
【０００２】
光通信システムにおいては、光信号の送受信に用いられる光モジュールが搭載される。例えば、ＷＤＭ（Wavelength Division Multiplex）ネットワークの予備系で用いられる波長可変光送信装置が提案されている（特許文献１）。この波長可変光送信装置では、波長切替の際に波長が目標値に到達、安定してから、コントローラが光ゲートの状態を遮断から通過に切り替える。他にも、波長切替中の光出力を遮断する波長可変光源内臓装置（特許文献２）、集積レーザ装置（特許文献３）及び波長可変光出力装置（特許文献４）が提案されている。
【０００３】
一方で、例えばＳＦＰ（Small Form Factor Pluggable）やＸＦＰなどの規格の光通信システムにおいて、波長可変プラガブル光モジュールの利用が進展している。波長可変プラガブル光モジュールは、光通信装置のソケットに挿抜可能な光トランシーバである。波長可変プラガブル光モジュールの制御を実施する際、波長可変プラガブル光モジュールはホスト側である光通信装置から制御情報を受け取る。そして、受け取った制御情報に応じて、波長可変プラガブル光モジュールの動作の切替えや変更が行われる。
【０００４】
波長可変プラガブル光モジュールにおいては、光通信装置から波長の切替えを要求される場合がある。波長の切替え要求を受け付けた場合、波長可変プラガブル光モジュールは、自律的に切替え動作を実行・完了することが求められる。
【先行技術文献】
【特許文献】
【０００５】
【特許文献１】特開２００１−２６８０１５号公報
【特許文献２】特開２００４−６２１０５号公報
【特許文献３】特開２００７−１５８０５７号公報
【特許文献４】特開２００８−２８５６９号公報
【発明の概要】
【発明が解決しようとする課題】
【０００６】
ところが、発明者は上述の手法には、以下に示す問題点があることを見出した。波長可変プラガブル光モジュールにおいて波長の切替えを実施する場合、切替えタイミングのずれや切替え前後の光源の状態の不安定性により、光伝送路上に不安定な光信号や誤った波長の光信号が送出されてしまうことがある。不安定な光信号や誤った波長の光信号が送出されてしまうと、通信の不具合や通信品質の劣化を招来する。
【０００７】
更に、特許文献１〜４に記載の構成とは異なり、波長可変プラガブル光モジュールは、波長可変プラガブル光モジュール搭載されるシステムの通信ホストである外部装置からの制御に応じて、波長切替を実行しなければならない。そのため、波長可変プラガブル光モジュールは、外部装置の要求に応じて、不安定な光信号や誤った波長の光信号が送出を防止しつつ、光信号の波長切替を行わなければならないという特有の課題を有する。
【０００８】
本発明は、上記の事情に鑑みて成されたものであり、波長可変プラガブル光モジュールが外部から波長切替を要求された場合に、波長の切替処理が完了する前に光伝送路上に光信号が送出されることを防止することを目的とする。
【課題を解決するための手段】
【０００９】
本発明の一態様であるプラガブル光モジュールは、外部光伝送装置に挿抜可能な電気コネクタと、コネクタ付光ファイバが挿抜可能な光コネクタと、第１の波長を有する光を出力可能な光源と、前記外部光伝送装置からの電気信号に応じて前記第１の波長を有する光を変調し、第１の光信号を出力する光変調器と、前記コネクタ付光ファイバへの前記第１の光信号の出力を調整可能な光減衰器と、波長切替動作を実行する制御部と、を備え、前記波長切替動作は、前記外部光伝送装置からの波長切替指示に応じて前記光減衰器が前記第１の光信号を遮断し、前記第１の光信号が遮断された後に前記光源が前記第１の波長を有する光を第２の波長を有する光に切り替え、前記第１の波長を有する光を前記第２の波長を有する光に切り替えた後に、前記外部光伝送装置からの出力指示に応じて前記光減衰器が前記第２の波長を有する光が変調された第２の光信号を出力するように制御されることを特徴とするものである。
【００１０】
本発明の一態様である光通信システムは、コネクタ付光ファイバと、プラガブル光モジュールと、前記プラガブル光モジュールを制御可能な外部光伝送装置と、を備え、前記プラガブル光モジュールは、前記外部光伝送装置に挿抜可能な電気コネクタと、コネクタ付光ファイバが挿抜可能な光コネクタと、第１の波長を有する光を出力可能な光源と、前記外部光伝送装置からの電気信号に応じて前記第１の波長を有する光を変調し、第１の光信号を出力する光変調器と、前記コネクタ付光ファイバへの前記第１の光信号の出力を調整可能な光減衰器と、波長切替動作を実行する制御部と、を備え、前記波長切替動作は、前記外部光伝送装置からの波長切替指示に応じて前記光減衰器が前記第１の光信号を遮断し、前記第１の光信号が遮断された後に前記光源が前記第１の波長を有する光を第２の波長を有する光に切り替え、前記第１の波長を有する光を前記第２の波長を有する光に切り替えた後に、前記外部光伝送装置からの出力指示に応じて前記光減衰器が前記第２の波長を有する光が変調された第２の光信号を出力するように制御されることを特徴とするものである。
【００１１】
本発明の一態様である光通信方法は、プラガブル光モジュールにおいて、第１の波長を有する光を出力し、外部光伝送装置からの電気信号に応じて前記第１の波長を有する光を変調して第１の光信号を出力し、波長切替動作を実行し、前記波長切替動作は、前記外部光伝送装置からの波長切替指示に応じて前記第１の光信号を遮断し、前記第１の光信号が遮断された後に前記第１の波長を有する光を第２の波長を有する光に切り替え、前記第１の波長を有する光を前記第２の波長を有する光に切り替えた後に、前記外部光伝送装置からの出力指示に応じて前記第２の波長を有する光が変調された第２の光信号を出力するように制御されることを特徴とするものである。
【発明の効果】
【００１２】
本発明によれば、波長可変プラガブル光モジュールが外部から波長切替を要求された場合に、波長の切替処理が完了する前に光伝送路上に光信号が送出されることを防止することができる。
【図面の簡単な説明】
【００１３】
【図１】実施の形態１にかかる波長可変プラガブル光モジュールの構成を模式的に示すブロック図である。
【図２】実施の形態１にかかる波長可変プラガブル光モジュールが搭載される光通信システムの要部構成例を示すブロック図である。
【図３】実施の形態１にかかる光信号出力部の構成例を示すブロック図である。
【図４】実施の形態１にかかる波長可変プラガブル光モジュールを光ファイバ側から見た場合の斜視図である。
【図５】、実施の形態１にかかる波長可変プラガブル光モジュールを光通信装置側から見た場合の斜視図である。
【図６】実施の形態１にかかる波長可変プラガブル光モジュールの波長切替動作を示すシーケンス図である。
【図７】実施の形態２にかかる波長可変プラガブル光モジュールの構成を模式的に示すブロック図である。
【図８】実施の形態２にかかる波長可変プラガブル光モジュールの波長切替動作を示すシーケンス図である。
【図９】実施の形態３にかかる波長可変プラガブル光モジュールの構成を模式的に示すブロック図である。
【図１０】実施の形態３にかかる光受信部の構成例を示すブロック図である。
【図１１】実施の形態３にかかる波長可変プラガブル光モジュールの受信側の波長切替動作を示すシーケンス図である。
【発明を実施するための形態】
【００１４】
以下、図面を参照して本発明の実施の形態について説明する。各図面においては、同一要素には同一の符号が付されており、必要に応じて重複説明は省略される。
【００１５】
実施の形態１
実施の形態１にかかる波長可変プラガブル光モジュール１００について説明する。図１は、実施の形態１にかかる波長可変プラガブル光モジュール１００の構成を模式的に示すブロック図である。図２は、実施の形態１にかかる波長可変プラガブル光モジュール１００が搭載される光通信システム１０００の要部構成例を示すブロック図である。図２に示すように、波長可変プラガブル光モジュール１００は、コネクタ付きの光ファイバ９１のコネクタ部が挿抜可能に構成される。コネクタ付きの光ファイバ９１のコネクタとしては、例えばＦＣ型コネクタやＭＵ型コネクタを用いることができる。波長可変プラガブル光モジュール１００は、通信ホストである光通信装置９２から入力される制御信号ＣＯＮ１に基づいて制御される。なお、波長可変プラガブル光モジュール１００は、制御信号ＣＯＮ１とともに、光通信装置９２からデータ信号を受信することも可能である。この場合、波長可変プラガブル光モジュール１００は、受信したデータ信号に基づいて変調した光信号ＬＳを出力することができる。光通信装置９２は、例えば、波長可変プラガブル光モジュール１００からの通信データ信号又は波長可変プラガブル光モジュール１００に入力する通信データ信号のフレーム処理等の通信データ処理を行う。
【００１６】
波長可変プラガブル光モジュール１００は、プラガブル電気コネクタ１１、光信号出力部１３、光強度調整部１４、制御部１２及びプラガブル光レセプタ１５を有する。
【００１７】
プラガブル電気コネクタ１１は、光通信装置９２に対して挿抜可能に構成される。プラガブル電気コネクタ１１は、光通信装置９２から出力される電気信号である制御信号ＣＯＮ１を受け取って、制御部１２に制御信号ＣＯＮ１を転送する。また、プラガブル電気コネクタ１１は、制御部１２から出力される電気信号を光通信装置９２に転送してもよい。
【００１８】
制御部１２は、光通信装置９２からプラガブル電気コネクタ１１を介して入力される制御信号ＣＯＮ１に基づいて、光信号出力部１３及び光強度調整部１４の動作を制御する。具体的には、制御部１２は、光信号出力部１３へ出力する制御信号ＣＯＮ２により、光信号出力部１３が出力する光信号ＬＳ（第１光信号とも称する）の波長を切替えることができる。また、制御信号ＣＯＮ２には変調信号が含まれており、光信号出力部１３は変調信号に応じて光信号ＬＳを変調する。また、制御部１２は、光強度調整部１４へ出力する制御信号ＣＯＮ３により、光強度調整部１４から出力される光信号ＬＳの光強度を調整することができる。
【００１９】
光信号出力部１３は、所定の変調方式で変調された所定の波長の光信号ＬＳを出力する。光信号出力部１３から出力される光信号ＬＳの波長は可変である。つまり、光信号出力部１３は、制御部１２から出力される制御信号ＣＯＮ２に応じて、波長可変範囲内の単一波長の光信号ＬＳを出力する。光信号出力部１３は、位相変調、振幅変調、偏波変調などの各種の変調方式で、又は、各種の変調方式を組み合わせて光信号ＬＳを変調することができる。
【００２０】
光信号出力部１３の構成例について説明する。図３は、実施の形態１にかかる光信号出力部１３の構成例を示すブロック図である。光信号出力部１３は、波長可変光源１２１及び光変調部１２２を有する。波長可変光源１２１は、例えば、半導体レーザとリング共振器などの波長可変手段とで構成され、出力光Ｌｏｒｉｇを出力する。出力光Ｌｏｒｉｇは、制御信号ＣＯＮ２により制御される。変調信号ＭＯＤ光変調部１２２は、例えばマッハツェンダ型の光変調器である。なお、図１及び２では図示しなかったが、光変調部１２２は、光通信装置９２からプラガブル電気コネクタ１１を介して入力される通信データ信号に対応した変調信号ＭＯＤに応じて、出力光Ｌｏｒｉｇを変調した光信号ＬＳを出力する。例えば、変調信号ＭＯＤは、図示しない駆動回路が、光通信装置９２から入力される通信データ信号に応じて出力する。
【００２１】
光強度調整部１４は、光信号出力部１３から出力される光信号ＬＳを減衰又は遮断することで、光信号ＬＳの光強度を調整することができる。上述のとおり、光強度調整部１４は、制御部１２から出力される制御信号ＣＯＮ３に応じて、光信号ＬＳの光強度を調整する。光強度調整部１４は、例えば光アッテネータを用いることができる。
【００２２】
プラガブル光レセプタ１５（第１プラガブル光レセプタとも称する）は、外部のコネクタ付きの光ファイバ９１（第１光伝送路とも称する）のコネクタが挿抜可能に構成される。プラガブル光レセプタ１５は、光強度調整部１４から出力される光信号ＬＳを、光ファイバ９１に送出する。
【００２３】
波長可変プラガブル光モジュール１００の外観を示す。図４は、実施の形態１にかかる波長可変プラガブル光モジュール１００を光ファイバ９１側から見た場合の斜視図である。図４に示す符号６１は、波長可変プラガブル光モジュール１００の上面を示す。図４に示す符号６２は、プラガブル光レセプタ１５の光ファイバ９１のコネクタの差込口を示す。図５は、実施の形態１にかかる波長可変プラガブル光モジュール１００を光通信装置９２側から見た場合の斜視図である。図５に示す符号６３は、波長可変プラガブル光モジュール１００の下面を示す。図５に示す符号６４は、プラガブル電気コネクタ１１の光通信装置９２との接続部を示す。
【００２４】
続いて、波長可変プラガブル光モジュール１００の波長切替動作について説明する。図６は、実施の形態１にかかる波長可変プラガブル光モジュール１００の波長切替動作を示すシーケンス図である。
【００２５】
ステップＳ１１：波長切替指示受領
波長可変プラガブル光モジュール１００が波長λ１の光信号ＬＳを光ファイバ９１へ出力している状態において、制御部１２は、光通信装置９２から光信号の波長切替指示が含まれる制御信号ＣＯＮ１を受け取る。
【００２６】
ステップＳ１２：光信号の遮断処理
制御部１２は、波長切替指示に基づいて、光信号の遮断処理を行う。具体的には、制御部１２は、制御信号ＣＯＮ３を用いて、光強度調整部１４に対して光信号ＬＳを遮断するよう指示する。光強度調整部１４は、制御信号ＣＯＮ３に応じて、光信号ＬＳを遮断する。また、制御部１２は、制御信号ＣＯＮ２を用いて、光信号出力部１３に対して光信号ＬＳの出力停止を指示することで光信号の遮断処理を行うこともできる。なお、制御部１２は、光信号の遮断処理を行う際に、光強度調整部１４に対する光信号ＬＳの遮断指示と光信号出力部１３に対する光信号ＬＳの出力停止指示とを並行して行うことも可能である。
【００２７】
ステップＳ１３：波長切替指示
制御部１２は、波長切替指示に基づいて、光信号出力部１３に対して、光信号ＬＳの波長をλ１からλ２（λ１≠λ２）へ切替えることを指示する。これにより、光信号出力部１３は、光信号ＬＳの波長をλ１からλ２へ切替える。この際、光信号出力部１３は、光信号ＬＳの出力を停止してから、波長をλ１からλ２へ切替える処理を行ってもよい。
【００２８】
ステップＳ１４：出力再開指示
波長切替の完了後、制御部１２は、光信号ＬＳの出力再開処理を行う。具体的には、制御部１２は、光信号ＬＳを所定の光強度に調整するように光強度調整部１４を制御する。これにより、光ファイバ９１には波長λ２の光信号ＬＳが出力される。
【００２９】
制御部１２は、ステップＳ１２又はＳ１３において、光信号出力部１３の光信号の出力を停止していた場合、ステップＳ１４の光強度調整部１４の制御の前に、波長切替後の波長λ２の光信号ＬＳを出力するように、光信号出力部１３を制御してもよい。
【００３０】
以上、本構成によれば、光通信装置９２の指示によって波長可変プラガブル光モジュールが光信号の波長を切替えるときに、確実に光信号の出力を遮断する。これにより、波長切替中の不安定な光信号が送出されることを防止することができる。そして、波長切替が完了した後に光信号を送出するので、所望の波長及び安定性を有する光信号を波長可変プラガブル光モジュールから送出することができる。
【００３１】
実施の形態２
実施の形態２にかかる波長可変プラガブル光モジュール２００について説明する。図７は、実施の形態２にかかる波長可変プラガブル光モジュール２００の構成を模式的に示すブロック図である。波長可変プラガブル光モジュール２００は、実施の形態１にかかる波長可変プラガブル光モジュール１００の制御部１２を制御部１６に置換した構成を有する。なお、波長可変プラガブル光モジュール２００は、制御信号ＣＯＮ１とともに、光通信装置９２からデータ信号を受信することも可能である。この場合、波長可変プラガブル光モジュール２００は、受信したデータ信号に基づいて変調した光信号ＬＳを出力することができる。波長可変プラガブル光モジュール２００のその他の構成は波長可変プラガブル光モジュール１００と同様であるので、説明を省略する。
【００３２】
制御部１６の波長切替動作は、制御部１２と比較して相違する。以下、波長可変プラガブル光モジュール２００の波長切替動作について説明する。図８は、実施の形態２にかかる波長可変プラガブル光モジュール２００の波長切替動作を示すシーケンス図である。
【００３３】
ステップＳ２１：波長切替指示受領
波長可変プラガブル光モジュール２００が波長λ１の光信号ＬＳを光ファイバ９１へ出力している状態において、制御部１６は、図６に示すステップＳ１１と同様に、光通信装置９２から光信号ＬＳの波長切替指示が含まれる制御信号ＣＯＮ１を受け取る。
【００３４】
ステップＳ２２：光信号の遮断処理
制御部１６は、図６に示すステップＳ１２と同様に、波長切替指示に基づいて光信号の遮断処理を行う。具体的には、制御部１６は、制御信号ＣＯＮ３を用いて、光強度調整部１４に対して光信号ＬＳを遮断するよう指示する。光強度調整部１４は、制御信号ＣＯＮ３に応じて、光信号ＬＳを遮断する。また、制御部１６は、制御信号ＣＯＮ２を用いて、光信号出力部１３に対して光信号ＬＳの出力停止を指示することで光信号の遮断処理を行うこともできる。なお、制御部１６は、光信号ＬＳの遮断処理を行う際に、光強度調整部１４に対する光信号ＬＳの遮断指示と光信号出力部１３に対する光信号ＬＳの出力停止指示とを並行して行うことも可能である。
【００３５】
ステップＳ２３：波長切替指示
制御部１６は、図６に示すステップＳ１３と同様に、波長切替指示に基づいて、光信号出力部１３に対して、光信号ＬＳの波長をλ１からλ２（λ１≠λ２）へ切替えることを指示する。これにより、光信号出力部１３は、光信号ＬＳの波長をλ１からλ２へ切替える。この際、光信号出力部１３は、光信号ＬＳの出力を停止してから、波長をλ１からλ２へ切替える処理を行うものとする。
【００３６】
波長切替に完了後に、制御部１２は、光信号出力部１３に設けられた光変調部（図３の光変調部１２２）に、波長λ２の光信号の変調に用いるパラメータを設定してもよい。このパラメータ設定は、制御部１２が制御信号ＣＯＮ１に基づいて行ってもよいし、外部からの信号に依ることなく制御部１２が自律的に行ってもよい。
【００３７】
ステップＳ２４：波長切替完了通知
制御部１６は、光通信装置９２に対して、波長切替処理が完了したことを通知する。ここでは、制御部１６は、波長切替処理が完了したことを通知する情報を含む通知信号ＩＮＦを、プラガブル電気コネクタ１１を介して光通信装置９２へ出力する。
【００３８】
ステップＳ２５：出力再開指示受領
光通信装置９２は、波長切替処理が完了したことを通知する情報を含む通知信号ＩＮＦを受けて、制御部１６へ光信号の出力処理を実行することを制御信号ＣＯＮ１によって指示する。この際、光通信装置９２は、波長可変プラガブル光モジュール２００が出力する光信号ＬＳを受信する装置の安定状況をモニタし、受信が可能になった時点で光信号の出力処理を実行することを指示してもよい。
【００３９】
ステップＳ２６：出力再開指示
制御部１６は、光通信装置９２から光信号の出力処理の実行指示に応じて、光信号ＬＳの出力再開処理を行う。具体的には、制御部１６は、光信号ＬＳを所定の光強度に調整するように光強度調整部１４を制御する。これにより、光ファイバ９１には波長λ２の光信号ＬＳが出力される。
【００４０】
制御部１６は、ステップＳ２２又はＳ２３において、光信号出力部１３の光信号の出力を停止していた場合、ステップＳ２６の光強度調整部１４の制御の前に、波長切替後の波長λ２の光信号ＬＳを出力するように、光信号出力部１３を制御してもよい。
【００４１】
以上、本構成によれば、波長可変プラガブル光モジュール１００と同様に、光通信装置９２の指示によって波長可変プラガブル光モジュールが光信号の波長を切替えるときに、確実に光信号の出力を遮断する。これにより、波長切替中の不安定な光信号が送出されることを防止することができる。そして、波長切替が完了した後に光信号を送出するので、所望の波長及び安定性を有する光信号を送出することができる。
【００４２】
また、本構成によれば、外部の光通信装置９２が波長切替の進捗状況をモニタし、波長切替が完了した後に光信号の出力再開を指示する。そのため、より確実に波長切替中の不安定な光信号が送出されることを防止できる。また、上述のように、光通信装置９２は、波長可変プラガブル光モジュール２００が出力する光信号ＬＳを受信する装置の安定状況をモニタし、受信が可能になった時点で光信号の出力処理を実行することを指示することもできる。つまり、波長可変プラガブル光モジュール２００が実装されるシステムのタイミング要求に応じて光信号の出力再開を指示することができるので、システム全体の運用状況に合わせた光信号の波長切替を行うことができる。
【００４３】
実施の形態３
実施の形態３にかかる波長可変プラガブル光モジュール３００について説明する。図９は、実施の形態３にかかる波長可変プラガブル光モジュール３００の構成を模式的に示すブロック図である。波長可変プラガブル光モジュール３００は、実施の形態１にかかる波長可変プラガブル光モジュール１００にプラガブル光レセプタ１７と光受信部１８とを追加し、波長可変プラガブル光モジュール１００の光信号出力部１３を光信号出力部２０に、制御部１２を制御部１９に置換した構成を有する。波長可変プラガブル光モジュール３００では、光信号出力部１３、光強度調整部１４及びプラガブル光レセプタ１５が送信側を構成し、プラガブル光レセプタ１７及び光受信部１８が受信側を構成する。なお、波長可変プラガブル光モジュール１００は、制御信号ＣＯＮ１とともに、光通信装置９２からデータ信号（例えば、図９に示すデータ信号ＤＡＴ）を受信することも可能である。この場合、波長可変プラガブル光モジュール１００は、受信したデータ信号に基づいて変調した光信号ＬＳを出力することができる。波長可変プラガブル光モジュール３００のその他の構成は波長可変プラガブル光モジュール１００と同様であるので、説明を省略する。
【００４４】
光信号出力部２０は、波長可変光源２１、光分岐器２２及び光変調部２３を有する。波長可変光源２１は、複数の波長の光を出力可能であり、所定の波長の光を選択的に出力可能である。波長可変光源２１から出力される光Ｌｏｒｉｇは、光分岐器２２で分岐されることで、送信側（光Ｌ１）及び受信側（局部発振光ＬＯ）の両方に光を出力できる。波長可変光源２１は、例えば、半導体レーザなどの光源デバイス、リング共振器などの波長可変デバイスおよび駆動回路等の周辺電気回路が集積されたＩＴＬＡ（Integrable Tunable Laser Assembly）等を有するものとして構成することができる。光変調部２３は、光分岐器２２からの光Ｌ１を変調（位相変調・振幅変調）して光信号ＬＳを生成する。例えば、光変調部２３は、マッハツェンダ型の変調器等で構成される。光信号ＬＳの変調は、プラガブル電気コネクタ１１を介して、制御信号ＣＯＮ１に基づいて制御部１９から出力される変調信号ＭＯＤに応じて行われる。なお、光Ｌｏｒｉｇの分岐は光分岐器２２によることに限定されるものではなく、適宜他の光分岐手段を用いることができる。
【００４５】
プラガブル光レセプタ１７（第２プラガブル光レセプタとも称する）は、受信側のプラガブル光レセプタであり、受信用のコネクタ付きの光ファイバ９３（第２光伝送路とも称する）のコネクタが挿抜可能に構成される。コネクタ付きの光ファイバ９３のコネクタとしては、例えばＦＣ型コネクタやＭＵ型コネクタを用いることができる。プラガブル光レセプタ１７は、光ファイバ９３を通じて送信元からの光信号ＩＮ（第２光信号とも称する）が入力される。
【００４６】
光受信部１８は、例えば、デジタルコヒーレント光受信器として構成される。光受信部１８は、プラガブル光レセプタ１７介して受け取った外部からの光信号ＩＮを電気信号であるデータ信号ＤＡＴに変換し、プラガブル電気コネクタ１１を介してデータ信号ＤＡＴを光通信装置へ出力する。光受信部１８は、波長可変の光受信器であり、制御部１９からの制御信号ＣＯＮ４によって受信に用いる設定パラメータを更新できるように構成される。
【００４７】
光受信部１８は、例えば、ＤＰ−ＱＰＳＫ（Dual-Polarization Quadrature Phase-Shift Keying）光信号を電気信号に復調するデジタルコヒーレント受信を行う受信器である。図１０は、実施の形態３にかかる光受信部１８の構成例を示すブロック図である。図１０に示すように、光受信部１８は、偏光ビームスプリッタ（Ｐｏｌａｒｉｚａｔｉｏｎ Ｂｅａｍ Ｓｐｌｉｔｔｅｒ：以下、ＰＢＳと表記する）３１、ＰＢＳ３２、９０°ハイブリッド３３及び３４、光電変換器（Ｏ／Ｅ：Optical/Electrical converter）４１〜４４、アナログ／デジタル変換器（ＡＤＣ：Analog to Digital Converter）５１〜５４及びデジタル信号処理部（Ｄｉｇｉｔａｌ  Ｓｉｇｎａｌ  Ｐｒｏｃｅｓｓｏｒ、以下ＤＳＰと表記する）３５を有する。
【００４８】
ＰＢＳ３１には、プラガブル光レセプタ１７を介して、ＤＰ−ＱＰＳＫ光信号が入力する。ＰＢＳ３１は、入力したＤＰ−ＱＰＳＫ光信号を、直交する２つの偏波成分に分離する。具体的には、ＰＢＳ３１は、入力したＤＰ−ＱＰＳＫ光信号を、互いに直交するｘ偏波成分ｘｉｎとｙ偏波成分ｙｉｎとに分離する。ｘ偏波成分ｘｉｎは９０°ハイブリッド３３に入力し、ｙ偏波成分ｙｉｎは９０°ハイブリッド３４に入力する。
【００４９】
光分岐器２２からの光は、局部発振光としてＰＢＳ３２に入力する。本実施の形態では、局部発振光は、所定の周波数を有するＣＷ（Ｃｏｎｔｉｎｕｏｕｓ  Ｗａｖｅ）光である。ＰＢＳ３２は、局部発振光を、直交する２つの偏波成分（ｘ偏波成分ＬＯｘ及びｙ偏波成分ＬＯｙ）に分離する。局部発振光のｘ偏波成分ＬＯｘは９０°ハイブリッド３３に入力し、局部発振光のｙ偏波成分ＬＯｙは９０°ハイブリッド３４に入力する。
【００５０】
９０°ハイブリッド３３は、局部発振光のｘ偏波成分ＬＯｘとｘ偏波成分ｘｉｎとを干渉させることで検波し、Ｉ（In-phase：同相）成分（以下、ｘｉｎ−Ｉ成分）と、Ｉ成分と位相が９０°異なるＱ（Quadrature：直交）成分（以下、Ｘｉｎ−Ｑ成分）と、を検波光として出力する。９０°ハイブリッド３４は、局部発振光のｙ偏波成分ＬＯｙとｙ偏波成分Ｙｉｎとを干渉させることで検波し、Ｉ成分（以下、ｙｉｎ―Ｉ成分）及びＱ成分（以下、ｙｉｎ―Ｑ成分）を検波光として出力する。
【００５１】
光電変換器４１〜４４は、９０°ハイブリッド３３及び３４が出力する４つの光信号（ｘｉｎ−Ｉ成分、ｘｉｎ−Ｑ成分、ｙｉｎ−Ｉ成分及びｘｉｎ−Ｑ成分）のそれぞれを光電変換する。そして、光電変換器４１〜４４は、光電変換により生成したアナログ電気信号を、それぞれＡＤＣ５１〜５４に出力する。具体的には、光電変換器４１は、ｘｉｎ−Ｉ成分を光電変換し、生成したアナログ電気信号をＡＤＣ５１に出力する。光電変換器４２は、ｘｉｎ−Ｑ成分を光電変換し、生成したアナログ電気信号をＡＤＣ５２に出力する。光電変換器４３は、ｙｉｎ−Ｉ成分を光電変換し、生成したアナログ電気信号をＡＤＣ５３に出力する。光電変換器４４は、ｙｉｎ−Ｑ成分を光電変換し、生成したアナログ電気信号をＡＤＣ５４に出力する。
【００５２】
ＡＤＣ５１〜５４は、光電変換器４１〜４４が出力するアナログ電気信号を、それぞれデジタル信号に変換し、変換したデジタル信号をＤＳＰ３５に出力する。
【００５３】
ＤＳＰ３５は、入力するデジタル信号に所定の偏波分離デジタル信号処理を行い、復調した信号を含むデータ信号ＤＡＴを出力する。データ信号ＤＡＴは、プラガブル電気コネクタ１１を介して、外部の光通信装置９２に出力される。
【００５４】
次いで、波長可変プラガブル光モジュール３００の波長切替動作について説明する。送信側の波長切替動作については、図８に示す波長可変プラガブル光モジュール２００の波長切替動作と同様であるので、重複する説明を省略する。
【００５５】
なお、波長可変プラガブル光モジュール３００の送信側の波長切替動作では、図８のステップＳ２３に対応する波長切替に完了後に、制御部１９は、光信号出力部２０に設けられた光変調部（図９の光変調部２３）に、波長λ２の光信号の変調に用いるパラメータを設定してもよい。このパラメータ設定は、制御部１９が制御信号ＣＯＮ１に基づいて行ってもよいし、外部からの信号に依ることなく制御部１９が自律的に行ってもよい。
【００５６】
波長可変プラガブル光モジュール３００の受信側の波長切替動作について説明する。図１１は、実施の形態３にかかる波長可変プラガブル光モジュール３００の受信側の波長切替動作を示すシーケンス図である。
【００５７】
ステップＳ３１：波長切替指示受領
波長可変プラガブル光モジュール２００が波長λ１の光信号ＩＮが光ファイバ９３から入力されている状態において、制御部１６は、図６に示すステップＳ１１と同様に、光通信装置９２から光信号の波長切替指示が含まれる制御信号ＣＯＮ１を受け取る。この際、光通信装置９２は、通信状況に応じて光信号ＩＮの波長切替を自ら決定してもよいし、送信元等の外部装置の要求に応じて波長切替を波長可変プラガブル光モジュール３００へ指示してもよい。
【００５８】
ステップＳ３２：波長切替指示
制御部１９は、波長切替指示に基づいて、光信号出力部２０の波長可変光源２１に対して、出力光Ｌｏｒｉｇの波長をλ１からλ２（λ１≠λ２）へ切替えることを指示する。これにより、波長可変光源２１は、光信号の波長をλ１からλ２へ切替える。この際、波長可変光源２１、光信号の出力を停止してから波長をλ１からλ２へ切替える処理を行うものとする。これにより、光受信部１８に出力される局部発振光ＬＯの波長がλ１からλ２へ切替えられる。
【００５９】
ステップＳ３３：受信パラメータ更新
制御部１９は、制御信号ＣＯＮ４に応じて、光受信部１８が波長切替後の波長λ２の受信に用いる受信パラメータを更新（ないしは設定）する。
【００６０】
ステップＳ３４：受信再開
制御部１９は、制御信号ＣＯＮ４によって、光受信部１８に光信号ＩＮの受信再開を指示する。これを受けて、光受信部１８は、波長λ２の光信号ＩＮの受信を再開する。
【００６１】
以上、本構成によれば、波長可変プラガブル光モジュール１００と同様に、光通信装置９２の指示によって波長可変プラガブル光モジュールが光信号の波長を切替えるときに、確実に光信号の出力を遮断する。これにより、波長切替中の不安定な光信号が送出されることを防止することができる。そして、波長切替が完了した後に光信号を送出するので、所望の波長及び安定性を有する光信号を送出することができる。
【００６２】
また、本構成によれば、受信した光信号の検波に用いる局部発振光の波長を切り替えることができる。これにより、波長可変範囲内の所望の波長の光信号を復調することができる。よって、複雑な変調方式の光信号を受信することができる。
【００６３】
更に、本構成では、送信側と受信側とで波長可変光源２１を共有するので、送受信一体型の波長可変プラガブル光モジュール３００の小型化を実現することもできる。なお、本実施の形態において、送信側と受信側とが、それぞれ波長可変光源を有していてもよいことは言うまでもない。また、本構成では、プラガブル光レセプタ１７から波長多重光信号を受信するようにしてもよい。この場合、波長可変光源２１から出力する光信号と光受信部１８にて干渉する波長の光信号のみが検波される。従って、波長多重光信号から、特定の光信号の波長を選択的に受信することができる。
【００６４】
その他の実施の形態
なお、本発明は上記実施の形態に限られたものではなく、趣旨を逸脱しない範囲で適宜変更することが可能である。例えば、上述の実施の形態において、光通信装置９２が波長可変プラガブル光モジュールにステータス要求を行うこともできる。この際、波長可変プラガブル光モジュールの制御部は、光通信装置９２からプラガブル電気コネクタ１１を介してステータス要求を受け取る。波長可変プラガブル光モジュールの制御部は、ステータス要求を受け取った時点での波長可変プラガブル光モジュールの運転状況を、プラガブル電気コネクタ１１を介して光通信装置９２に通知する。具体的には、波長可変プラガブル光モジュールの制御部は、波長切替動作中であるか否かを光通信装置９２に通知することができる。また、波長可変プラガブル光モジュールの制御部は、波長切替動作中には、図６、図８、図１１に示す各ステップのいずれの処理段階であるか（例えば、光信号の遮断（ステップＳ１２）が完了した状態、波長切替（ステップＳ１３）が完了した状態など）を、光通信装置９２に通知することができる。更に、光信号出力部１３に含まれる波長可変光源や光変調部の動作安定状態などを光通信装置９２に通知することもできる。
【００６５】
例えば、上述の実施の形態において、波長可変プラガブル光モジュールが波長切替動作を行っている間に、光通信装置９２が波長可変プラガブル光モジュールに光信号の出力停止を指示する場合が想定され得る。この際、波長可変プラガブル光モジュールの制御部は、光通信装置９２からプラガブル電気コネクタ１１を介して光信号の出力停止の指示を受け取る。しかし、波長可変プラガブル光モジュールは波長切替動作の最中であるため、光信号の出力停止の指示を受け付けないようにしてもよい。これにより、重複する動作要求による誤動作の発生を防止することができる。また、光通信装置９２からプラガブル電気コネクタ１１を介して光信号の出力停止の指示を受け取った場合に、波長切替動作が完了した後に、光信号の出力停止を実行してもよい。これにより、重複する動作要求を順序に従って処理し、光通信装置９２が要求する所望の処理を確実に実行することができる。なお、光通信装置９２が波長可変プラガブル光モジュールに対して、光信号の出力開始、及び、光信号の出力停止を適宜指示できることは言うまでもない。
【００６６】
上述の実施の形態においては、波長可変プラガブル光モジュール制御部が光通信装置９２からの制御信号ＣＯＮ１に応じて、波長可変光源、光変調部及び光強度調整部を制御するものとして説明したが、これは例示にすぎない。波長可変プラガブル光モジュール制御部は、外部からの制御信号によらず、自律的に波長可変光源、光変調部及び光強度調整部を制御することもできる。
【００６７】
上述の実施の形態において、プラガブル電気コネクタ１１を介した制御信号のやり取りは、ＭＤＩＯ（Ｍａｎａｇｅｍｅｎｔ  Ｄａｔａ  Ｉｎｐｕｔ／Ｏｕｔｐｕｔ）やＩ２Ｃ（Ｉｎｔｅｒ−Ｉｎｔｅｇｒａｔｅｄ  Ｃｉｒｃｕｉｔ）といった技術を適用することで実現することができる。
【００６８】
上述の実施の形態においては、光信号出力部が出力する光信号の強度をモニタし、例えば光信号出力部に設けられた波長可変光源の光出力強度をフィードバック制御してもよい。この場合、光信号出力部が出力する光信号の一部を光分岐器などで分岐し、分岐した光信号をフォトダイオードなどの受光素子で監視する。そして、監視結果を制御部に通知することで、制御部は光信号出力部が出力する光信号の強度をフィードバック制御できる。
【００６９】
上述の実施の形態においては、光強度調整部が出力する光信号の強度をモニタし、例えば光強度調整部での光強度や光信号出力部に設けられた波長可変光源の光出力強度をフィードバック制御してもよい。この場合、光強度調整部が出力する光信号の一部を光分岐器などで分岐し、分岐した光信号をフォトダイオードなどの受光素子で監視する。そして、監視結果を制御部に通知することで、制御部は光信号出力部が出力する光信号の強度、及び、光強度調整部が調整する光強度の一方又は両方をフィードバック制御できる。
【００７０】
上述の実施の形態３にかかる波長可変プラガブル光モジュール３００では、実施の形態２にかかる波長可変プラガブル光モジュール２００と同様に、制御部１９が波長切替の完了を光通信装置９２に通知し（図８のステップＳ２４に相当）、光通信装置９２が制御部１９に光信号の出力再開を指示し（図８のステップＳ２５に相当）、制御部１９が光信号の出力再開の指示に応じて光信号出力部２０に光信号の出力を再開させて（図８のステップＳ２２に相当）もよい。
【００７１】
実施の形態においては、光受信部１８は、ＤＰ−ＱＰＳＫ光信号を受信するものとして説明したが、これは例示に過ぎない。例えば、ＱＡＭ（quadrature amplitude modulation）等の他の変調信号を受信可能に構成されてもよい。
【００７２】
上記の実施の形態の一部又は全部は、以下の付記のようにも記載され得るが、以下には限られない。
【００７３】
（付記１）光伝送装置に対して挿抜可能に構成され、前記光伝送装置と、通信データ信号及び制御信号を通信可能であるプラガブル電気コネクタと、前記通信データ信号に対応する光信号の波長を選択的に出力可能に構成された光信号出力部と、前記光信号の光強度を調整可能である光強度調整部と、光ファイバが挿抜可能に構成され、前記光強度調整部から出力される前記光信号を前記光ファイバへ出力可能であるプラガブル光レセプタと、前記プラガブル電気コネクタからの前記制御信号に応じて波長切替動作を制御する制御部と、を備え、前記制御部は、前記制御信号に含まれる波長切替指示に応じて、前記光強度調整部に前記光信号の出力を遮断することを指示し、前記光信号の遮断後に、前記光信号出力部に前記光信号の波長切替を指示し、前記波長切替動作後に、前記光強度調整部に前記光信号の出力を指示する、波長可変プラガブル光モジュール。
【００７４】
（付記２）前記制御部は、前記波長切替動作の状態に関する情報を前記光伝送装置に通知し、前記制御部は、前記光伝送装置からの出力指示に応じて、前記光強度調整部に前記光信号の出力を指示する、付記１に記載の波長可変プラガブル光モジュール。
【００７５】
（付記３）前記制御部は、前記光伝送装置からのステータス情報の要求に応じて、前記波長切替動作の状態に関する情報を前記光伝送装置に通知する、付記２に記載の波長可変プラガブル光モジュール。
【００７６】
（付記４）前記制御部は、前記光伝送装置からの出力停止指示に応じて、前記光強度調整部に対して前記光信号の出力停止を指示する、付記１乃至３のいずれか一に記載の波長可変プラガブル光モジュール。
【００７７】
（付記５）前記制御部は、前記波長切替動作の実行中に前記出力停止指示を受けた場合、前記波長切替動作を優先して実行する、付記４に記載の波長可変プラガブル光モジュール。
【００７８】
（付記６）前記制御部は、前記波長切替動作の実行中に前記出力停止指示を受けた場合、前記波長切替動作を実行後に、前記光信号の出力停止を指示する、付記４又は５に記載の波長可変プラガブル光モジュール。
【００７９】
（付記７）光伝送装置に対して挿抜可能に構成され、前記光伝送装置と、通信データ信号及び制御信号を通信可能であるプラガブル電気コネクタと、前記通信データ信号に対応する第１光信号の波長を選択的に出力可能に構成された光信号出力部と、前記第１光信号の光強度を調整可能である光強度調整部と、第１光ファイバが挿抜可能に構成され、前記光強度調整部から出力される前記第１光信号を前記第１光ファイバへ出力可能である第１プラガブル光レセプタと、前記プラガブル電気コネクタからの前記制御信号に応じて波長切替動作を制御する制御部と、第２光ファイバが挿抜可能に構成され、前記第２光ファイバから第２光信号を入力可能な第２プラガブル光レセプタと、前記第２プラガブル光レセプタを介して入力される前記第２光信号と、所定の波長の光と、を干渉させることで受信可能な光受信部と、を備え、前記制御部は、前記制御信号に含まれる波長切替指示に応じて、前記光強度調整部に前記第１光信号の出力を遮断することを指示し、前記第１光信号の遮断後に、前記光信号出力部に前記第１光信号の波長切替を指示し、前記波長切替動作後に、前記光強度調整部に前記第１光信号の出力を指示する、前記光受信部は、受信した前記第２光信号に対応する電気信号を、前記プラガブル電気コネクタを介して前記光伝送装置に出力する、波長可変プラガブル光モジュール。
【００８０】
（付記８）前記制御部は、前記波長切替動作の状態に関する情報を前記光伝送装置に通知し、前記制御部は、前記光伝送装置からの出力指示に応じて、前記光強度調整部に前記第１光信号の出力を指示する、付記７に記載の波長可変プラガブル光モジュール。
【００８１】
（付記９）前記制御部は、前記光伝送装置からのステータス情報の要求に応じて、前記波長切替動作の状態に関する情報を前記光伝送装置に通知する、付記８に記載の波長可変プラガブル光モジュール。
【００８２】
（付記１０）前記制御部は、前記光伝送装置からの出力停止指示に応じて、前記光強度調整部に対して前記第１光信号の出力停止を指示する、付記７乃至９のいずれか一に記載の波長可変プラガブル光モジュール。
【００８３】
（付記１１）前記制御部は、前記波長切替動作の実行中に前記出力停止指示を受けた場合、前記波長切替動作を優先して実行する、付記１０に記載の波長可変プラガブル光モジュール。
【００８４】
（付記１２）前記制御部は、前記波長切替動作の実行中に前記出力停止指示を受けた場合、前記波長切替動作を実行後に、前記第１光信号の出力停止を指示する、付記１０又は１１に記載の波長可変プラガブル光モジュール。
【００８５】
（付記１３）前記光信号出力部は、波長可変光源と、前記波長可変光源から出力される光を分岐する光分岐部と、前記光分岐部で分岐された光の一方を変調して前記第１光信号を出力する光変調部と、を備え、前記光受信部は、前記光分岐部で分岐された光の他方と前記第２光信号とを干渉させて、前記第２光信号を受信する、付記７乃至１２のいずれか一に記載の波長可変プラガブル光モジュール。
【００８６】
（付記１４）前記制御部は、前記波長切替動作後に、前記第２光信号に応じた受信設定を前記光受信部に指示する、付記７乃至１３のいずれか一に記載の波長可変プラガブル光モジュール。
【００８７】
（付記１５）前記第２プラガブル光レセプタは、前記第２光ファイバから、前記第２光信号を含む波長多重光信号を入力可能であり、前記光受信部は、前記波長多重光信号と、前記所定の波長の光とを干渉させることで、前記第２光信号を選択的に受信可能である、付記７乃至１３のいずれか一に記載の波長可変プラガブル光モジュール。
【００８８】
（付記１６）光信号を伝送する光ファイバと、前記光ファイバが挿抜可能に構成され、前記光ファイバに前記光信号を出力する波長可変プラガブル光モジュールと、前記波長可変プラガブル光モジュールが挿抜可能に構成され、前記波長可変プラガブル光モジュールを制御する光伝送装置と、を備え、前記波長可変プラガブル光モジュールは、前記光伝送装置に対して挿抜可能に構成され、前記光伝送装置と、通信データ信号及び制御信号を通信可能であるプラガブル電気コネクタと、前記通信データ信号に対応する光信号の波長を選択的に出力可能に構成された光信号出力部と、前記光信号の光強度を調整可能である光強度調整部と、光ファイバが挿抜可能に構成され、前記光強度調整部から出力される前記光信号を前記光ファイバへ出力可能であるプラガブル光レセプタと、前記プラガブル電気コネクタからの前記制御信号に応じて波長切替動作を制御する制御部と、を備え、前記制御部は、前記制御信号に含まれる波長切替指示に応じて、前記光強度調整部に前記光信号の出力を遮断することを指示し、前記光信号の遮断後に、前記光信号出力部に前記光信号の波長切替を指示し、前記波長切替動作後に、前記光強度調整部に前記光信号の出力を指示する、光通信システム。
【００８９】
（付記１７）前記制御部は、前記波長切替動作の状態に関する情報を前記光伝送装置に通知し、前記制御部は、前記光伝送装置からの出力指示に応じて、前記光強度調整部に前記光信号の出力を指示する、付記１６に記載の光通信システム。
【００９０】
（付記１８）前記制御部は、前記光伝送装置からのステータス情報の要求に応じて、前記波長切替動作の状態に関する情報を前記光伝送装置に通知する、付記１７に記載の光通信システム。
【００９１】
（付記１９）前記制御部は、前記光伝送装置からの出力停止指示に応じて、前記光強度調整部に対して前記光信号の出力停止を指示する、付記１６乃至１８のいずれか一に記載の光通信システム。
【００９２】
（付記２０）前記制御部は、前記波長切替動作の実行中に前記出力停止指示を受けた場合、前記波長切替動作を優先して実行する、付記１９に記載の光通信システム。
【００９３】
（付記２１）前記制御部は、前記波長切替動作の実行中に前記出力停止指示を受けた場合、前記波長切替動作を実行後に、前記光信号の出力停止を指示する、付記１９又は２０に記載の光通信システム。
【００９４】
（付記２２）光信号を伝送する第１光ファイバ及び第２光ファイバと、前記第１光ファイバ及び第２光ファイバが挿抜可能に構成され、前記第１光ファイバに第１光信号を出力し、前記第２光ファイバから第２光信号が入力する波長可変プラガブル光モジュールと、前記波長可変プラガブル光モジュールが挿抜可能に構成され、前記波長可変プラガブル光モジュールを制御する光伝送装置と、を備え、前記波長可変プラガブル光モジュールは、前記光伝送装置に対して挿抜可能に構成され、前記光伝送装置と、通信データ信号及び制御信号を通信可能であるプラガブル電気コネクタと、前記通信データ信号に対応する第１光信号の波長を選択的に出力可能に構成された光信号出力部と、前記第１光信号の光強度を調整可能である光強度調整部と、第１光ファイバが挿抜可能に構成され、前記光強度調整部から出力される前記第１光信号を前記第１光ファイバへ出力可能である第１プラガブル光レセプタと、前記プラガブル電気コネクタからの前記制御信号に応じて波長切替動作を制御する制御部と、第２光ファイバが挿抜可能に構成され、前記第２光ファイバから第２光信号を入力可能な第２プラガブル光レセプタと、前記第２プラガブル光レセプタを介して入力される前記第２光信号と、所定の波長の光と、を干渉させることで受信可能な光受信部と、を備え、前記制御部は、前記制御信号に含まれる波長切替指示に応じて、前記光強度調整部に前記第１光信号の出力を遮断することを指示し、前記第１光信号の遮断後に、前記光信号出力部に前記第１光信号の波長切替を指示し、前記波長切替動作後に、前記光強度調整部に前記第１光信号の出力を指示する、前記光受信部は、受信した前記第２光信号に対応する電気信号を、前記プラガブル電気コネクタを介して前記光伝送装置に出力する、光通信システム。
【００９５】
（付記２３）前記制御部は、前記波長切替動作の状態に関する情報を前記光伝送装置に通知し、前記制御部は、前記光伝送装置からの出力指示に応じて、前記光強度調整部に前記第１光信号の出力を指示する、付記２２に記載の光通信システム。
【００９６】
（付記２４）  前記制御部は、前記光伝送装置からのステータス情報の要求に応じて、前記波長切替動作の状態に関する情報を前記光伝送装置に通知する、付記２３に記載の光通信システム。
【００９７】
（付記２５）前記制御部は、前記光伝送装置からの出力停止指示に応じて、前記光強度調整部に対して前記第１光信号の出力停止を指示する、付記２２乃至２４のいずれか一に記載の光通信システム。
【００９８】
（付記２６）前記制御部は、前記波長切替動作の実行中に前記出力停止指示を受けた場合、前記波長切替動作を優先して実行する、付記２５に記載の光通信システム。
【００９９】
（付記２７）前記制御部は、前記波長切替動作の実行中に前記出力停止指示を受けた場合、前記波長切替動作を実行後に、前記光信号の出力停止を指示する、付記２５又は２６に記載の光通信システム。
【０１００】
（付記２８）前記光信号出力部は、波長可変光源と、前記波長可変光源から出力される光を分岐する光分岐部と、前記光分岐部で分岐された光の一方を変調して前記第１光信号を出力する光変調部と、を備え、前記光受信部は、前記光分岐部で分岐された光の他方と前記第２光信号とを干渉させて、前記第２光信号を受信する、付記２２乃至２７のいずれか一に記載の光通信システム。
【０１０１】
（付記２９）前記制御部は、前記波長切替動作後に、前記第２光信号に応じた受信設定を前記光受信部に指示する、付記２２乃至２８のいずれか一に記載の光通信システム。
【０１０２】
（付記３０）前記第２プラガブル光レセプタは、前記第２光ファイバから、前記第２光信号を含む波長多重光信号を入力可能であり、前記光受信部は、前記波長多重光信号と、前記所定の波長の光とを干渉させることで、前記第２光信号を選択的に受信可能である、付記２２乃至２８のいずれか一に記載の光通信システム。
【０１０３】
（付記３１）光伝送装置に対して挿抜可能に構成され、前記光伝送装置と、通信データ信号及び制御信号を通信可能であるプラガブル電気コネクタと、前記通信データ信号に対応する光信号の波長を選択的に出力可能に構成された光信号出力部と、前記光信号の光強度を調整可能である光強度調整部と、光ファイバが挿抜可能に構成され、前記光強度調整部から出力される前記光信号を前記光ファイバへ出力可能であるプラガブル光レセプタと、を有する波長可変プラガブル光モジュールにおいて、前記プラガブル電気コネクタを介して受け取った前記制御信号に含まれる波長切替指示に応じて、前記光強度調整部に前記光信号の出力を遮断することを指示し、前記光信号の遮断後に、前記光信号出力部に前記光信号の波長切替を指示し、前記波長切替動作後に、前記光強度調整部に前記光信号の出力を指示する、波長可変プラガブル光モジュールの波長切替方法。
【０１０４】
（付記３２）前記波長切替動作の状態に関する情報を前記光伝送装置に通知し、前記光伝送装置からの出力指示に応じて、前記光強度調整部に前記光信号の出力を指示する、付記３１に記載の波長可変プラガブル光モジュールの波長切替方法。
【０１０５】
（付記３３）前記光伝送装置からのステータス情報の要求に応じて、前記波長切替動作の状態に関する情報を前記光伝送装置に通知する、付記３２に記載の波長可変プラガブル光モジュールの波長切替方法。
【０１０６】
（付記３４）前記光伝送装置からの出力停止指示に応じて、前記光強度調整部に対して前記光信号の出力停止を指示する、付記３１乃至３３のいずれか一に記載の波長可変プラガブル光モジュールの波長切替方法。
【０１０７】
（付記３５）前記波長切替動作の実行中に前記出力停止指示を受けた場合、前記波長切替動作を優先して実行する、付記３４に記載の波長可変プラガブル光モジュールの波長切替方法。
【０１０８】
（付記３６）前記波長切替動作の実行中に前記出力停止指示を受けた場合、前記波長切替動作を実行後に、前記光信号の出力停止を指示する、付記３４又は３５に記載の波長可変プラガブル光モジュールの波長切替方法。
【０１０９】
（付記３７）光伝送装置に対して挿抜可能に構成され、前記光伝送装置と、通信データ信号及び制御信号を通信可能であるプラガブル電気コネクタと、前記通信データ信号に対応する第１光信号の波長を選択的に出力可能に構成された光信号出力部と、前記第１光信号の光強度を調整可能である光強度調整部と、第１光ファイバが挿抜可能に構成され、前記光強度調整部から出力される前記第１光信号を前記第１光ファイバへ出力可能である第１プラガブル光レセプタと、第２光ファイバが挿抜可能に構成され、前記第２光ファイバから第２光信号を入力可能な第２プラガブル光レセプタと、前記第２プラガブル光レセプタを介して入力される前記第２光信号と、所定の波長の光と、を干渉させることで受信可能な光受信部と、を有する波長可変プラガブル光モジュールにおいて、前記光受信部に、受信した前記第２光信号に対応する電気信号を、前記プラガブル電気コネクタを介して前記光伝送装置に出力させ、前記プラガブル電気コネクタを介して受け取った前記制御信号に含まれる波長切替指示に応じて、前記光強度調整部に前記第１光信号の出力を遮断することを指示し、前記第１光信号の遮断後に、前記光信号出力部に前記第１光信号の波長切替を指示し、前記波長切替動作後に、前記光強度調整部に前記第１光信号の出力を指示する、波長可変プラガブル光モジュールの波長切替方法。
【０１１０】
（付記３８）前記波長切替動作の状態に関する情報を前記光伝送装置に通知し、前記光伝送装置からの出力指示に応じて、前記光強度調整部に前記第１光信号の出力を指示する、付記３７に記載の波長可変プラガブル光モジュールの波長切替方法。
【０１１１】
（付記３９）前記光伝送装置からのステータス情報の要求に応じて、前記波長切替動作の状態に関する情報を前記光伝送装置に通知する、付記３８に記載の波長可変プラガブル光モジュールの波長切替方法。
【０１１２】
（付記４０）前記光伝送装置からの出力停止指示に応じて、前記光強度調整部に対して前記第１光信号の出力停止を指示する、付記３７乃至３９のいずれか一に記載の波長可変プラガブル光モジュールの波長切替方法。
【０１１３】
（付記４１）前記波長切替動作の実行中に前記出力停止指示を受けた場合、前記波長切替動作を優先して実行する、付記４０に記載の波長可変プラガブル光モジュールの波長切替方法。
【０１１４】
（付記４２）前記波長切替動作の実行中に前記出力停止指示を受けた場合、前記波長切替動作を実行後に、前記第１光信号の出力停止を指示する、付記４０又は４１に記載の波長可変プラガブル光モジュールの波長切替方法。
【０１１５】
（付記４３）前記光信号出力部は、波長可変光源と、前記波長可変光源から出力される光を分岐する光分岐部と、前記光分岐部で分岐された光の一方を変調して前記第１光信号を出力する光変調部と、を備え、前記光受信部は、前記光分岐部で分岐された光の他方と前記第２光信号とを干渉させて、前記第２光信号を受信する、付記３７乃至４２のいずれか一に記載の波長可変プラガブル光モジュールの波長切替方法。
【０１１６】
（付記４４）前記波長切替後に、前記第２光信号に応じた受信設定を前記光受信部に指示する、付記３７乃至４３のいずれか一に記載の波長可変プラガブル光モジュールの波長切替方法。
【０１１７】
（付記４５）前記第２プラガブル光レセプタは、前記第２光ファイバから、前記第２光信号を含む波長多重光信号を入力可能であり、前記光受信部は、前記波長多重光信号と、前記所定の波長の光とを干渉させることで、前記第２光信号を選択的に受信可能である、付記３７乃至４３のいずれか一に記載の波長可変プラガブル光モジュールの波長切替方法。
【０１１８】
以上、実施の形態を参照して本願発明を説明したが、本願発明は上記によって限定されるものではない。本願発明の構成や詳細には、発明のスコープ内で当業者が理解し得る様々な変更をすることができる。
【０１１９】
この出願は、２０１５年３月５日に出願された日本出願特願２０１５−４３２０３を基礎とする優先権を主張し、その開示の全てをここに取り込む。
【符号の説明】
【０１２０】
１１  プラガブル電気コネクタ
１２、１６、１９  制御部
１３、２０  光信号出力部
１４  光強度調整部
１５、１７  プラガブル光レセプタ
１８  光受信部
２０  光信号出力部
２１、１２１  波長可変光源
２２  光分岐器
２３、１２２  光変調部
３１、３２  偏光ビームスプリッタ（ＰＢＳ）
３３、３４  ９０°ハイブリッド
３５  ＤＳＰ
４１〜４４  光電変換器
５１〜５４  アナログ／デジタル変換器（ＡＤＣ）
９１、９３  光ファイバ
９２  光通信装置
１００、２００、３００  波長可変プラガブル光モジュール
１０００  光通信システム
ＣＯＮ１〜ＣＯＮ４  制御信号
ＤＡＴ  データ信号
ＩＮ  光信号
ＩＮＦ  通知信号
Ｌ１  光
ＬＯ  局部発振光
ＬＳ  光信号
ＭＯＤ  変調信号
【図１】
2019106730.tif 000003
【図２】
2019106730.tif 000004
【図３】
2019106730.tif 000005
【図４】
2019106730.tif 000006
【図５】
2019106730.tif 000007
【図６】
2019106730.tif 000008
【図７】
2019106730.tif 000009
【図８】
2019106730.tif 000010
【図９】
2019106730.tif 000011
【図１０】
2019106730.tif 000012
【図１１】
2019106730.tif 000013